(57)【要約】【課題】１つの金具を取り付けるだけで、連結可能であり、その後にねじを締結すれば強固に保持できるうえ、フェンスの縦線条側が何れの敷地に面していても、自分の敷地側からねじ止め可能で、作業性が一層向上する。【解決手段】フェンス連結部材であって、隙間の両側で同じ高さに配置された横線条それぞれに係合する一対の係合部が上端の両側に形成された受け部と、受け部に係着される係着部が上端に形成されると共に、隙間の両側に配置された縦線条それぞれに掛止される掛止部が両側縁に形成された押さえ部と、受け部及び押さえ部の下端部分それぞれを折り曲げ自在に結合する折曲部とを備え、受け部及び押さえ部それぞれは、係着部が受け部に係着されたときに両者を貫通する２つのねじ孔が形成され、両者それぞれに形成された２つのねじ孔のうちの何れか一方には雌ねじが刻まれる。【選択図】図３
2019203325.tif 000002
【特許請求の範囲】
【請求項１】
水平方向の複数の横線条と垂直方向の複数の縦線条とを交差させて接合したメッシュ状の複数のフェンスを、所定間隔に立設された支柱に沿って連続的に設置する際に、隣接する該フェンスそれぞれの側端に配置された該縦線条相互間に隙間を設けて連結するフェンス連結部材であって、
前記隙間の両側で同じ高さに配置された前記横線条それぞれに係合する一対の係合部が上端の両側に形成された受け部と、
前記受け部に係着される係着部が上端に形成されると共に、前記隙間の両側に配置された前記縦線条それぞれに掛止される掛止部が両側縁に形成された押さえ部と、
前記受け部及び前記押さえ部の下端部分それぞれを折り曲げ自在に結合する折曲部と、を備え、
前記受け部及び前記押さえ部それぞれは、前記係着部が該受け部に係着されたときに両者を貫通する２つのねじ孔が形成され、両者それぞれに形成された２つのねじ孔のうちの何れか一方には雌ねじが刻まれていることを特徴とするフェンス連結部材。
【請求項２】
前記受け部は、前記フェンスの前記横線条側に配置され、前記押さえ部は、該フェンスの前記縦線条側に配置されるものであり、該受け部及び該押さえ部それぞれは、上端中央部分から前記折曲部までの長さが等しいものであって、
前記係合部の断面は、前記横線条が係合する大きさの半円形をなし、
前記係着部が前記受け部上端に係着したとき、前記係合部が前記横線条に係合すると共に、前記掛止部が該縦線条に掛止されることを特徴とする請求項１記載のフェンス連結部材。
【請求項３】
前記係着部は、前記押さえ部の上端中央部分から前記受け部に向けて延設された細板部材の先端をU字形に屈曲させたものであって、該押さえ部から該先端に至るまでの長さが前記縦線条の太さに等しいことを特徴とする請求項１記載のフェンス連結部材。
【請求項４】
前記２つのねじ孔のうち、一方は、前記押さえ部からボルトを挿入して前記受け部で螺合し、他方は、該受け部からボルトを挿入して該押さえ部で螺合することを特徴とする請求項１記載のフェンス連結部材。
【請求項５】
前記折曲部は、前記縦線条が収容可能な間隔を開けて前記受け部と前記押さえ部とを結合することを特徴とする請求項１記載のフェンス連結部材。
【発明の詳細な説明】
【技術分野】
【０００１】
本発明は、所定間隔で立設された支柱に沿って連続的に設置するメッシュ状のフェンス相互を所定の隙間を開けて連結するフェンス連結部材に関するものである。
【背景技術】
【０００２】
従来、複数の縦線条と複数の横線条とをメッシュ状に接合したフェンスを支柱に沿って連続的に設置するときは、２つの金具で隣接するフェンスの端部それぞれを表側と裏側とから挟み、その金具をねじで締め付けることによって、フェンス相互を連結している。
しかしながら、金具を複数本のねじで締め付ける方法は、施工性が極めて悪い上、金具が大型化してコスト高になることから、ねじ１本で締め付けることによって、施工性を改善すると共に、コストの低減も図る方法が試みられてきた。しかし、その方法では、荷重が加わったときに金具が脱落するのを防止できないという課題があった。
そこで、第１の金具及び第２の金具それぞれの基部に食い込む一対の爪片を第１の金具及び第２の金具それぞれに設けることによって１本のねじであってもフェンスを強固に連結でき、しかもねじが緩んだり、脱落したりしても、フェンスの連結状態を維持することができる方法が提案されている（特許文献１）。
しかし、フェンス相互の位置合わせは比較的容易である反面、２つの金具と1本のねじで結合する作業は、一人では行ない難い。
そこで、フェンス相互を連結する連結部材を、表面板と裏面板とが対向しそれらを折り曲げ自在な折り曲げ部によって偏った位置で連結させ、連結していない先端側を互いに交差する向きに折り曲げて縦片を形成する一方、表面板と裏面板の両側を対向方向に折り曲げて横片を形成し、隣接するフェンスの横線条と縦線条との交差部それぞれに、一方の縦線条側に折り曲げ部、他方の縦線条側に先端側が位置するように差し込んで、先端側相互を交差させ、ねじで表面板と裏面板とを締結して横線条及び縦線条を保持する方法が開示されている（特許文献２）。この方法は、金具が１つになっているので作業性が向上するほか、フェンスの何れの側に横線条が位置していても表面板が同じ側から取り付けられるという利点がある。
また、前壁面の両側端が後方に折り曲げられた前板と、後壁面の両側端が前方に折り曲げられた背板と、前板と背板との上端同士を接続する接続部とを備え、隣接するフェンスそれぞれの縦線条を前板と背板との間に挟み込む一方、それぞれの切欠部によって横線条を通過させ、前板と背板とをねじで締結してフェンス相互を連結する方法を用いた連結部材も開示されている（特許文献３）
【先行技術文献】
【特許文献】
【０００３】
【特許文献１】特許第３８４２１３３号公報
【特許文献２】特開２００９−４６８７４号公報
【特許文献３】特開２０１２−１８８８９０号公報
【発明の概要】
【発明が解決しようとする課題】
【０００４】
しかしながら、フェンス連結部材を１つの金具と１本のねじで構成したとしても、２つのフェンスに金具を取り付ける位置合わせをしながら、ねじを締結することによって隣接するフェンス相互を連結する必要があることから、作業には熟練が必要である。
本発明は、かかる事情に鑑み、１つの金具を取り付けるだけで、隣接するフェンス相互を連結することが可能であり、その後にねじを締結することでそれを強固に保持できるうえ、他人の敷地との境界に設置する場合であって、フェンスの縦線条側が何れの敷地に面していても、自分の敷地側からねじ止めすることが可能であり、作業性の一層の向上が見込めるフェンス連結部材を提供することを目的とする。
【課題を解決するための手段】
【０００５】
本発明は、水平方向の複数の横線条と垂直方向の複数の縦線条とを交差させて接合したメッシュ状の複数のフェンスを、所定間隔に立設された支柱に沿って連続的に設置する際に、隣接する該フェンスそれぞれの側端に配置された該縦線条相互間に隙間を設けて連結するフェンス連結部材であって、上記隙間の両側で同じ高さに配置された上記横線条それぞれに係合する一対の係合部が上端の両側に形成された受け部と、上記受け部に係着される係着部が上端に形成されると共に、上記隙間の両側に配置された上記縦線条それぞれに掛止される掛止部が両側縁に形成された押さえ部と、上記受け部及び上記押さえ部の下端部分それぞれを折り曲げ自在に結合する折曲部と、を備え、上記受け部及び上記押さえ部それぞれは、上記係着部が該受け部に係着されたときに両者を貫通する２つのねじ孔が形成され、両者それぞれに形成された２つのねじ孔のうちの何れか一方には雌ねじが刻まれていることを特徴とする。
このようにフェンス結合部材を構成する受け部と押さえ部が折り曲げ自在な折曲部で結合され、押さえ部上端に形成された係着部が受け部に係着する一方、受け部の上端、両側に形成された係合部が隣接するフェンスそれぞれの横線条に係合し、押さえ部両側縁の掛止部が隣接するフェンスそれぞれの縦線条に掛止するので、隣接するフェンス相互の結合が保持される。その後、受け部と押さえ部とをねじで締結すれば、両者が強固に結合されるので、フェンスに負荷が加わっても、フェンスの結合部分が前後、左右、上下にずれることがない。また、1人で簡単に施工することができる。
ここで、上記受け部は、上記フェンスの上記横線条側に配置され、上記押さえ部は、該フェンスの上記縦線条側に配置されるものであり、該受け部及び上記押さえ部それぞれは、上端中央部分から上記折曲部までの長さが等しいものであって、上記係合部の断面は、上記横線条が係合する大きさの半円形をなし、上記係着部が上記受け部上端に係着したとき、上記係合部が上記横線条に係合すると共に、上記掛止部が該縦線条に掛止される。
また、上記係着部は、上記押さえ部の上端中央部分から上記受け部に向けて延設された細板部材の先端をU字形に屈曲させたものであって、該押さえ部から該先端に至るまでの長さが上記縦線条の太さに等しいことが好ましい。
このように構成すれば、折曲部を折り曲げて、押さえ部の上端と受け部の上端とを指の力で接近させたとき、係着部の先端は受け部の上端に突き当るが、先端がU字形に屈曲していれば、U字形の底面が受け部の表面をスライドして上端を乗り越え、反対側の面に係着し、受け部は、手を離しても押さえ部に保持される。
さらに上記２つのねじ孔のうち、一方は、上記押さえ部からボルトを挿入して上記受け部で螺合し、他方は、該受け部からボルトを挿入して該押さえ部で螺合することにすれば、受け部及び押さえ部の何れの側からでもねじで締結することができる。
また、上記折曲部は、上記縦線条が収容可能な間隔を開けて上記受け部と上記押さえ部とを結合することが好ましい。
【発明の効果】
【０００６】
本発明のフェンス連結部材は、フェンスを挟持する受け部と押さえ部とが折り曲げ自在に結合され、所定の隙間を開けて配置したフェンスそれぞれの横線条に係合させた受け部に押さえ部を押し付けて受け部の上端に係着させるだけの簡単な操作でフェンス相互の結合を保持することができるので、ねじで締結する作業を含む一連の作業を１人で容易に行うことができる。また、ねじ孔が上下に２か所設けてあり、受け部と押さえ部の何れか一方のねじ孔に雌ねじが刻まれているので、何れの側からでもねじで締結可能であり、作業全てを自分の敷地内から行うことができる。
【図面の簡単な説明】
【０００７】
【図１】図１は支柱に沿って連続的に設置されたメッシュ状のフェンスを示す斜視図
【図２】図２は支柱に沿って連続的に設置されたメッシュ状のフェンスを示す側面図
【図３】図３は本実施形態のフェンス連結部材を示す斜視図である。
【図４】図４は本実施形態のフェンス連結部材を縦線条側から正面図である。
【図５】図５は本実施形態のフェンス連結部材を横線条側から背面図である。
【図６】図６は本実施形態のフェンス連結部材の側面である。
【図７】図７は本実施形態のフェンス連結部材の上面図である。
【図８】図８はフェンス４相互を連結する個所にフェンス連結部材１を取り付けた状態を示す図である。
【図９】図９は、縦線条及び横線条とフェンス連結部材との関係を側面から見た図である。
【図１０】図１０は縦線条及び横線条とフェンス連結部材との関係を側面から見た図である。
【図１１】図１１は、係着部を第１板状部分の上端に係着させた状態の側面図である。
【図１２】図１２は係着部を第１板状部分の上端に係着させた状態の正面図である。
【発明を実施するための形態】
【０００８】
以下に、本発明のフェンス連結部材の実施形態について図に基づいて説明する。
図１及び図２は、支柱に沿って連続的に設置されたメッシュ状のフェンスを示す図であり、図１は斜視図、図２は、側面図である。
図１に示すように、メッシュ状のフェンス４は、水平方向の複数の横線条２と垂直方向の複数の縦線条３とを交差させてメッシュ状にしたもので、縦線条３は、上部及び下部に曲げ加工が施されている。
横線条２及び縦線条３は亜鉛メッキ鉄、アルミなどの金属製で、それらの交差部分は溶接されている。フェンス４は、例えば、高さが６０ｃｍ、８０ｃｍ、１００ｃｍ、長さが１００ｃｍ、２００ｃｍに設定され、全体的に塗装又は被膜処理が施されている。
そのフェンス４は、本実施形態のフェンス連結部材１を用いて結合し、支柱５に沿わせて連続的に設置されるが、隣接するフェンス４相互の間には、小さな隙間Sが設けられる。
なお、ここで示す材質及び数値は一例であって、これらの材質及び数値に限定する必要はない。
図１には、高さ６０ｃｍのフェンス４の例を示すので、フェンス連結部材１は、フェンス４の上部及び下部の２か所に設置されているが、フェンスの高さによっては、中間に複数設置してもよい。
ここでは、フェンス４の上部は、フェンス連結部材１の折曲部２０を下に向け、また、フェンス１の下部は、フェンス連結部材１の折曲部２０を上に向けて、フェンス４側端に位置する縦線条３及び横線条２それぞれに掛止、あるいは係合させてフェンス相互を連結する。
【０００９】
図３から図７は、本実施形態のフェンス連結部材を示す図であり、図３は斜視図、図４は縦線条側から見た正面図、図５は横線条側から見た背面図、図６は側面図、図7は上面図である。
図３から図７に示すように、フェンス連結部材１は、フェンス４の横線条２側に配置される受け部１０と、フェンス４の縦線条３側に配置される押さえ部１５と、受け部１０及び押さえ部１５を下部側で折り曲げ自在に結合する折曲部２０と、を備えている。
折曲部２０は、受け部１０を構成する矩形の第１板状部分１１の下端と、押さえ部１５を構成する矩形の第２板状部分１６の下端とを結合する一対の細幅の板状部材で形成されたものであり、第１板状部分１１と第２板状部分１６との間に縦線条３が収容できるように離間させて両者を結合する一方、第１板状部分１１及び第２板状部分１６それぞれがV字形をなすような角度で折れ曲がっている。
そして、受け部１０を固定した状態で押さえ部１５を受け部１０側に押せば、折曲部２０は簡単に折れ曲がり、角度が小さくなって第１板状部分１１の上端と第２板状部分１６の上端とが接近する。
受け部１０は、第１板状部分１１の上端両側に、横線条２に係合する一対の係合部１２が形成されており、第１板状部分１１の中央には２つのねじ孔１９が上下に形成されている。そして、上側のねじ孔１９には、雌ねじ１４が刻んである。
押さえ部１５は、第２板状部分１６の上端中央に、第１板状部分１１の上端に係着する係着部１７が形成されており、第２板状部分１６の中央には、第１板状部分１１のねじ孔１９に貫通する２つのねじ孔１９が上下に形成されている。そして、下側のねじ孔１９には、雌ねじ１４が刻んである。
なお、雌ねじ１４が刻まれるねじ孔１９は、ねじとの螺合面を大きくするため、エンボス加工等が施され、ねじ孔周囲が突出している。
ここで、本実施形態のフェンス連結部材１は、受け部１０の上側のねじ孔１９には、雌ねじ１４が刻まれ、押さえ部１５の下側のねじ孔１９には雌ねじ１４が刻まれているが、受け部１０の下側のねじ孔１９と、押さえ部１５の上側のねじ孔１９に雌ねじ１４を刻むことにしてもよい。
受け部１０の第１板状部分１１と押さえ部１５の第2板状部分１６は、高さ及び幅が等しくなるように設定される。そして、幅は、隣接するフェンス４それぞれの端側で隙間Sを開けて配置された２つの縦線条３が収まり、かつ縦線条３相互間にねじ孔１９を設けることができる大きさに設定される。また、高さは、上下２つのねじ孔１９が余裕をもって形成可能な大きさに設定する。
【００１０】
係合部１２は、第１板状部分１１の上端の両側から上方に延びた細幅の板状部材を、断面が半円形をなすように曲げることで形成され、その半円形部分全てが、第１板状部分１１によって形成された平面の外側に位置している。
従って、係合部１２が横線条２に係合したとき、第１板状部分１１は縦線条３に当接することができるので、横線条２から係合部１２が外れるのを防止できる。
掛止部１８は、第２板状部分１６の両側が、受け部１０側に、略９０度、折れ曲がることで形成される。
従って、第２板状部分１６を第１板状部分１１に接近させたとき、隙間Sを開けて隣接しているフェンス４それぞれの側端側縦線条３に、掛止部１８が掛止して、フェンス連結部材１の左右の動きを止めている。
係着部１７は、第２板状部分１６の上端中央から概ね９０度をなして受け部１０側方向に延びる細幅の板状部材で、U字形に屈曲させた先端部１７aを有する。
従って、第２板状部分１６の上端を第１板状部分１１に接近させると、先端部１７aは第１板状部分１１の上部に当接する。そして、第２板状部分１６をさらに強く押すと先端部１７a のU字形部分が第１板状部分１１をスライドしてその上端を乗り越え、第１板状部分１１の上端に係着する。その結果、フェンス４から手を離しても、隣接するフェンス４それぞれの横線条２及び縦線条３は、受け部１０及び押さえ部１５に保持されたままの状態となるので、受け部１０及び押さえ部１５をねじで締結することが容易になる。
ここで、フェンス連結部材１は、一例として、金属製の薄板を所定の形状に打ち抜き、エンボス加工などによってねじ孔を形成したものをU字形や半円形に成形加工したり、９０度に折り曲げる加工を施した後に、V字形に折り曲げる。そして、ステンレス以外の金属にはメッキ等を施して作成することができる。
【００１１】
次に、本実施形態のフェンス連結部材１によって隣接するフェンス４相互を連結する手順について説明する。
図８は、フェンス４相互を連結する個所にフェンス連結部材１を取り付けた状態を示す図である。
フェンス４相互を連結するには、先ず、一方のフェンス４の横線条２にフェンス連結部材１の一方の係合部１２を係合させ、次に、他方の係合部１２に他方のフェンス４の横線条２を係合させる。そのとき、それぞれの縦線条３が掛止部１８に掛止されるように、縦線条３相互に隙間Sを開ける。
なお、ここに示すフェンス連結部材１は、受け部１０の下側のねじ孔１９と、押さえ部１５の上側のねじ孔１９に雌ねじ１４が刻まれている。
【００１２】
図９及び図１０は、縦線条及び横線条とフェンス連結部材との関係を側面から見た図であり、図９は、折曲部が横線条の下側に配置される場合を示し、図１０は、折曲部が横線条の上側に配置される場合を示す。
フェンス４を形成する下段の横線条３に係合部１２を係合させる場合には図１０に示す方法を用いるが、それ以外の場合には、図９及び図１０何れに示す方法を用いてもよい。
【００１３】
次に、押さえ部１５の第２板状部分１６の上端と受け部１０の第１板状部分１１の上端とが接近するように第２板状部分１６を押し、係着部１７を第１板状部分１１の上端に係着させた後、ねじ２１で締結する。
図１１及び図１２は、係着部を第１板状部分の上端に係着させた状態を示す図であり、図１１は側面から見た図、図１２は押さえ部側から見た図である。
図１１に示すように受け部１０は、係合部１２が横線条２に係合し、第１板状部分１１は縦線条３に当接している。そして、折曲部２０によって縦線条３が収容可能な間隔を開けて受け部１０と結合された押さえ部１５は、掛止部１８が縦線条３に掛止され、係着部１７のU字形に屈曲した先端部１７aを第１板状部分１１の上端に係着させる。また、図１２に示すように、ねじ２１は、押さえ部１５下側のねじ孔１９に挿入されて受け部１０下側のねじ孔１９に螺合している。
従って、フェンス連結部材１は、隣接するフェンス４相互が前後、左右、上下にズレが生じないよう強固に連結させることができる。
ここで示すねじ孔１９は、受け部１０の下側と、押さえ部１５の上側に雌ねじ１４が刻まれているが、受け部１０の上側と、押さえ部１５の下側に雌ねじ１４を刻み、ねじ２１を押さえ部１５上側のねじ孔１９に挿入して受け部１０上側のねじ孔１９に螺合させるようにしてもよい。
【産業上の利用可能性】
【００１４】
隣地との境界や道路境界、庭園などに設置するメッシュフェンスの連結に活用できる。
【符号の説明】
【００１５】
１      フェンス連結部材
２      横線条
３      縦線条
４      フェンス
５      支柱
１０    受け部
１１    第１板状部分
１２    係合部
１４    雌ねじ
１５    押さえ部
１６    第２板状部分
１７    係着部
１７a    U字形に屈曲した先端部
１８    掛止部
１９    ねじ孔
２０    折曲部
２１    ねじ
S      隙間
【図１】
2019203325.tif 000003
【図２】
2019203325.tif 000004
【図３】
2019203325.tif 000005
【図４】
2019203325.tif 000006
【図５】
2019203325.tif 000007
【図６】
2019203325.tif 000008
【図７】
2019203325.tif 000009
【図８】
2019203325.tif 000010
【図９】
2019203325.tif 000011
【図１０】
2019203325.tif 000012
【図１１】
2019203325.tif 000013
【図１２】
2019203325.tif 000014